(57)【要約】  円筒形端部を有する電気デバイス周囲の均一な電気応力分布を実現するためのコロナフリーキャップアセンブリが開示され、コロナフリーキャップアセンブリは、円筒形端部上で円筒形端部の円周方向に沿って締付けるように構成された締付部材と、２つの開放端部を有するグレージングチャンバを備えるコロナフリーキャップと、を備え、コロナフリーキャップが電気デバイス上に取り外し可能に固定され、電気デバイスの円筒形端部が、開放端部のうちの１つを通じてコロナフリーキャップのグレージングチャンバ内に少なくとも部分的に延びるように、グレージングチャンバ内に固定されると共に締付部材と接続するように適合された接続コンポーネントをコロナフリーキャップが更に備える。【選択図】図１
2015523047.tif 000002
【特許請求の範囲】
【請求項１】
円筒形端部（３１）を有する電気デバイス（３０）周囲の均一な電気応力分布を目的とするコロナフリーキャップアセンブリであって、前記円筒形端部（３１）上でその円周方向に沿って締付けるように構成された締付部材（２０）と、２つの開放端部（１４、１６）を有するグレージングチャンバ（１５）を有するコロナフリーキャップ（１０）と、を備え、前記コロナフリーキャップが前記電気デバイス（３０）上に取り外し可能に固定され、前記電気デバイス（３０）の前記円筒形端部（３１）が、前記開放端部（１４、１６）のうちの１つ（１６）を通じて前記コロナフリーキャップ（１０）の前記グレージングチャンバ（１５）内に少なくとも部分的に延びるように、前記グレージングチャンバ（１５）内に固定されると共に前記締付部材（２０）と接続するように適合された接続コンポーネント（１１）を前記コロナフリーキャップ（１０）が更に有する、コロナフリーキャップアセンブリ。
【請求項２】
貫通開口部（１１０）が前記接続コンポーネント（１１）上に形成され、そこを通って前記電気デバイス（３０）の前記円筒形端部（３１）を通過させるように適合される、請求項１に記載のコロナフリーキャップアセンブリ。
【請求項３】
前記接続コンポーネント（１１）が、前記グレージングチャンバ（１０）の内表面（１００）上に、前記グレージングチャンバ（１０）の円周方向に沿って固定された少なくとも１つの実質的に環状の部分を有する、請求項１又は２に記載のコロナフリーキャップアセンブリ。
【請求項４】
前記接続コンポーネント（１１）が、前記グレージングチャンバ（１０）の内表面（１００）上に、前記グレージングチャンバ（１０）の円周方向に沿って固定された少なくとも２つの円弧型部品を備える、請求項１又は２に記載のコロナフリーキャップアセンブリ。
【請求項５】
前記締付部材（２０）が、環状体（２１）と、型締力調節機構（２３）とを備え、前記型締力調節機構（２３）が、前記円筒形端部（３１）上に締付けられた前記環状体（２１）を締付け／解除するように適合され、前記型締力調節機構（２３）が、
２つの端部を形成するように前記環状体（２１）上に設けられた間隙（２３１）と、
前記締付部材（２０）が前記円筒形端部（３１）にかける前記型締力を調節するために、前記間隙（２３１）の寸法を変更するために設けられた調節手段（２３２）と、を備える、請求項１に記載のコロナフリーキャップアセンブリ。
【請求項６】
前記調節手段（２３２）が、
前記環状体（２１）の一方の端部に位置するねじ付き孔（２３２１）と、
前記環状体（２１）の別の端部に位置するねじ無し孔（２３２３）であって、前記ねじ無し孔（２３２３）及び前記ねじ付き孔（２３２１）は同軸状に設計される、ねじ無し孔（２３２３）と、
前記ねじ無し孔（２３２３）と前記ねじ付き孔（２３２１）とを接続するように設けられるねじ付き締結具（２３２２）と、を備える、請求項５に記載のコロナフリーキャップアセンブリ。
【請求項７】
前記締付部材（２０）が、第１の円弧体（２１１）と、第２の円弧体（２１２）と、２つの調節手段（２３２）と、を備え、それぞれの調節手段（２３２）が、前記締付部材（２０）が前記円筒形端部（３１）上に締付けられるように、前記第１の円弧体（２１１）の一方の端部と前記第２の円弧体（２１２）の一方の端部とを接続するように適合される、請求項１に記載のコロナフリーキャップアセンブリ。
【請求項８】
前記それぞれの調節手段（２３２）が、
前記第１の円弧体（２１１）及び前記第２の円弧体（２１２）両方の一方の端部を通じて延びるねじ付き孔（２３２１）と、
前記第１の円弧体（２１１）及び前記第２の円弧体（２１２）両方の別の端部を通じて延びるねじ無し孔（２３２３）であって、前記ねじ無し孔（２３２３）及び前記ねじ付き孔（２３２１）は同軸状に設計される、ねじ無し孔（２３２３）と、
前記第１の円弧体（２１１）及び前記第２の円弧体（２１２）の対応する端部が接続するように、前記ねじ無し孔（２３２３）と前記ねじ付き孔（２３２１）とを接続するために設けられたねじ付き締結具（２３２２）と、を備える、請求項７に記載のコロナフリーキャップアセンブリ。
【請求項９】
前記締付部材（２０）が、
前記締付部材（２０）上に形成され、前記締付部材（２０）を前記電気デバイス（３０）（３１）の前記円筒形端部（３１）上に締付ける間、前記締付部材（２０）の張力を解除するように適合される、１つ以上の張力ノッチ（２３３）を更に備える、請求項５又は７に記載のコロナフリーキャップアセンブリ。
【請求項１０】
前記接続コンポーネント（１１）が、
その上に形成され、前記締付部材（２０）上に形成された複数の第２の接続孔（５２）とそれぞれ整合されるように適合された、複数の第１の接続孔（５１）と、
前記第１の接続孔と対応する第２の接続孔を合わせて締結するために設けられる複数の締結具（５０）と、を備える、請求項１に記載のコロナフリーキャップアセンブリ。
【請求項１１】
前記電気デバイス（３０）が、絶縁体で部分的に覆われた電気ケーブルを備え、前記円筒形端部（３１）が、前記絶縁体（３０）のヘッドアーマチュア（３１）であり、前記接続端部（３１）が、前記電気ケーブルと外部電気デバイスとを電気接続するように適合される、請求項１に記載のコロナフリーキャップアセンブリ。
【請求項１２】
電気ケーブル（４０）と、
前記電気ケーブル（４０）の少なくとも一部を被膜するように適合された、円筒形端部（３１）を有する絶縁体（３０）と、
前記絶縁体（３０）上に取り外し可能に固定され、前記絶縁体（３０）周囲の均一な電気応力分布を目的とするように適合される、請求項１〜１１のいずれか一項に記載のコロナフリーキャップアセンブリと、を備える、電気ケーブル成端アセンブリ。
【発明の詳細な説明】
【技術分野】
【０００１】
本発明はコロナフリーキャップデバイスに関し、特に変圧器端子に有用なコロナフリーキャップアセンブリに関する。
【背景技術】
【０００２】
国民経済の急速な発展と共に、都市は高まる電力不足を経験している。１１０ｋＶ以上の電圧を有する新築の変電所が絶えず郊外地域、経済開発区、及び繁華街地域に出現している。ブラケット構造を有する旧態依然とした屋外の変電所は、都市計画、環境保全、土地資源保全、日常のメンテナンスの減少、及び他の要因の観点から、もはや要求を満たさない。一方、電気デバイスアセンブリは、狭い占有積及び室内配置への適合性という利点のために広く採用されている。
【０００３】
電力産業において、ＧＩＳ（ガス絶縁開閉器、以下ＧＩＳと呼ぶ）とは、国際的に「ガス絶縁金属封入開閉装置」として知られる、封入された六フッ化硫黄で絶縁した電気デバイスアセンブリを意味する。それは、変電所内の変圧器を除き、配線用遮断器と、断路器と、接地開閉器と、計器用変圧器と、変流器と、避雷器と、ブスバーと、ケーブル端子と、最適設計を有する統合アセンブリにブッシングなどする入来ケーブル及び送出ケーブルと、を含む、全ての主要な設備を兼ね備える。ＧＩＳは高圧配電ユニットとしても知られる。ＧＩＳの利点は、より狭い占有床面積、より高い信頼性、より高い安全性、より低いメンテナンス作業負担、及び２０年以上のより長い主要コンポーネンツのメンテナンス間隔にある。
【０００４】
現在、１１０ｋＶ以上の電圧を有するＧＩＳ開閉装置の生産量は急速に増加しており、ホットポイントとなっている。Ｎａｔｉｏｎａｌ  Ｈｉｇｈ  Ｖｏｌｔａｇｅ  Ｓｗｉｔｃｈ  Ａｓｓｏｃｉａｔｉｏｎが提供する統計によると、２００６年の１１０ｋＶ  ＧＩＳの生産量は、前年（２，６７１ベイ）から９９３ベイの増加、及び３７．１８％の増加率を示す３，６６４ベイに達し、ＧＩＳ製造業者数は前年から４社増えて１５社であった。１１０ｋＶ  ＧＩＳの急速な発展は、製造業者による製品の継続的な改良及び性能改善、並びに顧客からの需要の劇的増加によるところが大きい。１１０ｋＶ  ＧＩＳ技術は大きく進歩してきた。その構造は、３相が別個のエンクロージャにあるものから、３相が１つの共通のエンクロージャにあるものへと改善された。外殻材料は鋼板から主にアルミニウム合金へと進化した。回路破断部はパファー型から自動消火型へと進化した。断路器及び接地開閉器は３位組合せ型へと進化した。その動作機構は油圧式機構から軽量ばね式動作機構へと進化し、幾つかの二次制御システムは従来の電磁気型から知能電子工学型へと進化した。幾つかの電気特性は１２６ｋＶ／２０００  Ａ／３１．５ｋＡから１４５ｋＶ／３１５０  Ａ／４０ｋＡへと強化されている。技術的進歩により、１２６ｋＶ  ＧＩＳはより小さくなり、より軽量化し、より高い信頼性を有し、非常に少ないＳＦ６ガス消費量を有するようになった。その結果、より大きな市場占有率を獲得し、より多くの顧客を引き付けてきた。１１０ｋＶ以上の電圧を有するＧＩＳシステムは、広く大量に使用され、幾つかの国及び地域では１０年又は２０年に亘って稼動してきた。多くの運用経験が得られてきた。製造業者は、生産及び運用経験に基づき、１１０ｋＶ以上の電圧を有するＧＩＳを継続的に改良してきている。そのような改良は主に、仕様書の更新又はＧＩＳを更に小さくかつ性能を良くするための構造刷新に反映されている。
【０００５】
本システムでは、変圧器ケーブル端子において、変圧器端子端部の導電パネル及び変圧器端子周囲の電界分布を改良し、その結果それらの絶縁レベルを向上させるために、コロナフリーキャップを通常使用する。従来のコロナフリーキャップは、通常、接続インターフェース（通常は中空の空洞）がエポキシ絶縁体上の導電パネルと同じ寸法を有するように設計される。したがって、変圧器端子を変圧器装置に電気接続する際、初めにすることは、その電気接続する端子が導電パネルに直接接触し得るように、エポキシ絶縁体の導電パネル上に電気接続する端子を配置することである。次に、コロナフリーキャップの接続インターフェースを端子上に配置し、端子に接触させる。最後に、コロナフリーキャップ及び端子を、連結ボルトとともに導電パネル上に固定する。しかしながら、従来のコロナフリーキャップは、据付けの間に端子の上に配置されなければならない。結果的に、コロナフリーキャップは、端子をコロナフリーキャップと接続する前に、端子の据付けの間に取り外されなければならない。したがって、従来のコロナフリーキャップデバイスの据付けはかなり不便である。更に、変圧器装置の工場出荷前に端子が既に接続ワイヤに接続されている場合、端子との接合部の外径がコロナフリーキャップ中心の筒径より大きいため、端子が設置し辛いという厄介な状況が発生し得る。
【発明の概要】
【発明が解決しようとする課題】
【０００６】
本発明は、上述の従来の技術的解決法における少なくとも１つ以上の技術的問題の打開又は軽減を目的とする。
【０００７】
本発明は、変圧器ケーブル端子のための新規のコロナフリーキャップデバイスの提供を目的とする。
【０００８】
したがって、本発明の少なくとも１つの目的は、端子をどのように接続しようと、コロナフリーキャップを取り外すことなく、変圧器端子製品との電気接続を容易に実現することができる、コロナフリーキャップアセンブリを提供することである。
【課題を解決するための手段】
【０００９】
本発明の１つの態様によると、円筒形端部を有する電気デバイス周囲の均一な電気応力分布を実現するためのコロナフリーキャップアセンブリが提供される。コロナフリーキャップアセンブリは、円筒形端部の円周方向に沿って円筒形端部を締付けるように構成された締付部材と、２つの開放端部を有するグレージングチャンバを備えるコロナフリーキャップと、を備える。コロナフリーキャップは、コロナフリーキャップが電気デバイス上に取り外し可能に固定され、電気デバイスの円筒形端部が、開放端部のうちの１つを通じてコロナフリーキャップのグレージングチャンバ内に少なくとも部分的に延びるように、グレージングチャンバ内に固定されると共に締付部材に接続した接続コンポーネントを更に有する。
【００１０】
具体的には、貫通開口部が接続コンポーネント上に形成され、その貫通開口部は、該開口部を通って電気デバイスの円筒形端部を通過させるように適合される。
【００１１】
本発明の好ましい実施形態によると、接続コンポーネントは、グレージングチャンバの内表面上に、グレージングチャンバの円周方向に沿って固定された少なくとも１つの実質的に環状の部分を有し得る。
【００１２】
本発明の別の好ましい実施形態によると、接続コンポーネントはまた、グレージングチャンバの内表面上に、グレージングチャンバの円周方向に沿って固定された少なくとも２つの円弧型部品を有し得る。
【００１３】
本発明の好ましい実施形態によると、締付部材は、環状体と、型締力調節機構とを備え得る。型締力調節機構は、円筒形端部に対して締付けられた環状体を締付け／解除するように適合され、型締力調節機構は間隙と調節手段とを備える。間隙は環状体上に設けられ２つの端部を形成し、一方で調節手段は、締付部材が円筒形端部に加える型締力を調節するために、間隙の寸法を変更するために設けられる。更に、調節手段は、ねじ付き孔、ねじ無し孔、及びねじ付き締結具を備える。ねじ付き孔は環状体の一方の端部に位置し、ねじ無し孔は環状体のもう一方の端部に位置する。ねじ無し孔及びねじ付き孔は同軸状に設計され、一方でねじ付き締結具は、ねじ無し孔とねじ付き孔とを接続するように設計される。
【００１４】
本発明の好ましい別の実施形態によると、締付部材はまた、第１の円弧体と、第２の円弧体と、２つの調節手段と、を備え、それぞれの調節手段が、締付部材が円筒形端部上に締付けられるように、第１の円弧体の一方の端部と第２の円弧体の一方の端部を接続するように適合される。更に、それぞれの調節手段は、ねじ付き孔、ねじ無し孔、及びねじ付き締結具を備え得る。ねじ付き孔は第１の円弧体及び第２の円弧体両方の一方の端部を通じて延び、ねじ無し孔は第１の円弧体及び第２の円弧体両方の別の端部を通じて延び、ねじ無し孔及びねじ付き孔は同軸状に設計され、一方でねじ付き締結具は、第１の円弧体及び第２の円弧体の対応する端部が接続するように、ねじ無し孔とねじ付き孔とを接続するために設けられる。
【００１５】
本発明の幾つかの実施形態によると、締付部材はまた、１つ以上の張力ノッチを備え得、その１つ以上の張力ノッチは締付部材上に形成され、締付部材を電気デバイスの円筒形端部に対して締付ける間、締付部材の張力を解除するように適合される。
【００１６】
本発明の幾つかの実施形態によると、接続コンポーネントは、複数の第１の接続孔及び複数の締結具を更に備え得、その複数の第１の接続孔は、接続コンポーネント上に形成され、締付部材上に形成された複数の第２の接続孔とそれぞれ一直線になるように適合され、一方で、複数の締結具は第１の接続孔と対応する第２の接続孔を合わせて締結するために設けられる。
【００１７】
特に、本発明の幾つかの実施形態によると、前述のコロナフリーキャップアセンブリにおいて、電気デバイスは絶縁体で部分的に覆われた電気ケーブルであり得、一方で円筒形端部は絶縁体の電機子ヘッドであり、その電機子ヘッドは電気ケーブルと外部電気デバイスとを電気接続するように適合される。
【００１８】
本発明の別の態様によると、ケーブル端子アセンブリが提供される。ケーブル端子アセンブリは、電気ケーブルと、円筒形端部を有する絶縁体であって、絶縁体が電気ケーブルの少なくとも一部を被膜するように適合される、絶縁体と、絶縁体上に取り外し可能に固定され、絶縁体周囲の均一な電気応力分布を実現するように適合される、前述のコロナフリーキャップアセンブリと、を備える。
【００１９】
上記のことから、本発明は、変圧器ケーブル端子のための新規なコロナフリーキャップアセンブリを提供するという技術的効果を少なくとも有することがわかる。コロナフリーキャップアセンブリは主に、接続コンポーネント（接続インターフェース）を有するコロナフリーキャップ及び締付部材を備える。特に、全く新しい接続方法、即ち、締付部材を初めに電気デバイス（例えば、絶縁体）の円筒形端部（例えば、導電パネル）周辺部に固定し、次に、コロナフリーキャップが締付部材上に固定されるように、接続コンポーネント（接続インターフェース）及び締付部材を締結機構で締結することが、コロナフリーキャップアセンブリに採用される。電気デバイス（例えば、絶縁体）の円筒形端部（例えば、導電パネル）上のボルト孔は、端部を接続するために使用される。したがって、本発明が提供するコロナフリーキャップアセンブリは、独立した締付部材を使用することで、コロナフリーキャップを電気デバイス（例えば、絶縁体）の円筒形端部（例えば、導電パネル）周辺部に固定することを可能にする。このような方法で、コロナフリーキャップと電気デバイス（例えば、絶縁体）の円筒形端部（例えば、導電パネル）の接続を実現する際に、端子に接続するための円筒形端部（例えば、導電パネル）上のボルト孔を使用しない。したがって、コロナフリーキャップを取り外すことなく、変圧器端子製品との電気接続が容易に実現できる。
【図面の簡単な説明】
【００２０】
本発明の上記並びに他の態様及び利点をより明らかで理解しやすくするために、好ましい実施形態及び図表を参照し、本発明を更に以下に例示する。
【図１】グレージングチャンバの内部構造を示すためにコロナフリーキャップが切断された、本発明の好ましい実施形態によるコロナフリーキャップアセンブリの据え付け例図である。
【図２】本発明の上述の好ましい実施形態による、コロナフリーキャップアセンブリ内のコロナフリーキャップの例図である。
【図３】コロナフリーキャップが切断されている、本発明の上述の好ましい実施形態による、コロナフリーキャップアセンブリ内のコロナフリーキャップの別の例図である。
【図４】本発明の上述の好ましい実施形態による、電気デバイスの円筒形端部に対して締付けられた際のコロナフリーキャップアセンブリ内の締付環の例図である。
【図５】本発明の上述の好ましい実施形態による、コロナフリーキャップアセンブリ内の締付環の例図である。
【図６】本発明の上述の好ましい実施形態による、コロナフリーキャップアセンブリ内の締付環の別の例図である。
【図７】本発明の別の好ましい実施形態による、コロナフリーキャップアセンブリ内の締付環の例図である。
【００２１】
幾つかの例図、量及び材料、加えてコンポーネンツの形状、並びにコンポーネンツ間の相対関係などを幾つかの例示的実施形態を示すことにより上記に簡潔に開示するが、本発明の保護の範囲はこれらに限定されない。
【発明を実施するための形態】
【００２２】
実施形態
本発明の例示的実施形態を、同じ参照番号が本明細書を通して同一又は類似のコンポーネンツを意味する図面を参照することにより、以下に詳細に述べる。しかしながら、本開示は様々な異なる実施形態を有し得、以下の開示は本明細書中に詳細に述べる実施形態に限定されない。それとは逆に、これらの実施形態及び包括的かつ徹底的な本開示の詳細は、当業者が本発明の概念を完全に理解する助けとなるように提供される。
【００２３】
図１〜７に示す通り、本発明はコロナフリーキャップアセンブリを提供する。コロナフリーキャップアセンブリを、円筒形端部３１を有する電気デバイス３０周囲の均一な電気応力分布を実現するために使用する。具体的には、コロナフリーキャップアセンブリは主に締付部材２０及びコロナフリーキャップ１０を備える。締付部材２０は、円筒形端部３１の円周方向に沿って円筒形端部３１を締付けるように構成される。コロナフリーキャップ１０は、２つの開放端部１４及び１６を有するグレージングチャンバ１５を備える一方で、コロナフリーキャップ１０はまた、接続コンポーネント１１を備える。接続コンポーネント１１を、コロナフリーキャップ１０が電気デバイス３０上に取り外し可能に固定され、電気デバイス３０の円筒形端部３１が、少なくとも部分的にコロナフリーキャップ１０のグレージングチャンバ１５内に開放端部１４及び１６のうち開放端部１６を通じて延びるように、グレージングチャンバ１５内部に固定し、締付部材２０に接続する。図１〜３に示す通り、グレージングチャンバ１５は別法として、いくらかの勾配を有する中空状の円錐台であり得、その中空状の円錐台はより小さい直径の開放端部１４及びより大きい直径の開放端部１６を有することに留意されたい。開放端部１４は、例えば端子４０などの外部デバイスを貫通させるために使用され、一方で開放端部１６は、電気デバイス３０の円筒形端部３１が、少なくとも部分的にグレージングチャンバ１５内に延びるために使用される。当然ながら、他の実施形態において、グレージングチャンバ１５はまた、他の形状（例えば、円柱）を有する中空状の物体であり得る。
【００２４】
更に、図２及び３に示す通り、接続コンポーネント１１はコロナフリーキャップ１０のグレージングチャンバ１５内部に形成される。グレージングチャンバ１５内部には、接続コンポーネント１１上に貫通開口部１１０が形成され、貫通開口部１１０は、電気デバイス３０の円筒形端部３１が貫通するように適合される。コロナフリーキャップ１０の接続コンポーネント１１の主な機能は、コロナフリーキャップと他のコンポーネンツ（例えば、本発明に係る締付部材２０）との間の接続インターフェースを提供することであることに留意されたい。図２及び３に示す１つの実施形態において、接続コンポーネント１１は、グレージングチャンバ１５の内表面１００上に、グレージングチャンバ１５の円周方向に沿って固定された少なくとも１つの実質的に環状の部分、即ち、円環体を備える。しかしながら、他の実施形態において、接続コンポーネント１１はまた、グレージングチャンバ１５の内表面１００上にグレージングチャンバ１５の円周方向に沿って固定された少なくとも２つの円弧型部品（図示せず）であり得、その電気デバイス３０の円筒形端部３１は、少なくとも２つの円弧型部品によって画定された中心部を通ることができる。
【００２５】
本発明が提供する別のコロナフリーキャップアセンブリにおいて、主な特徴のうちの１つは、図４に示す通り、独立した締付部材２０を提供するということである。締付部材２０は、電気デバイス３０の円筒形端部３１の周辺部に据付けられて、円筒形端部３１を円筒形端部３１の円周方向に沿って締付けるように適合される。
【００２６】
本発明による１つの実施形態において、図５に示す通り、締付部材２０は、環状体２１、環状体２１によって環状体２１に沿って形成される貫通開口部２２、及び型締力調節機構２３を備える。環状体２１は、円筒形端部３１の周辺部に対して締付けるために提供され得、一方で型締力調節機構２３は、円筒形端部３１を締付ける環状体２１を締付ける／解除するように適合される。この実施形態において、型締力調節機構２３は間隙２３１及び調節手段２３２を備える。図５及び６に示す通り、間隙２３１は、環状体２１が２つの端部を形成するように環状体２１上に形成され、調節手段２３２は、締付部材２０が円筒形端部３１に加える型締力を調節するために間隙２３１の寸法を変更するように設けられる。更に、調節手段２３２は、ねじ付き孔２３２１、ねじ無し孔２３２３、及びねじ付き締結具２３２２を備える。図に示す通り、ねじ付き孔２３２１は、間隙２３１に隣接する環状体２１の一方の端部を通じて横方向に延び、ねじ無し孔２３２３は間隙２３１に隣接する環状体２１の別の端部に位置し、ねじ無し孔２３２３及びねじ付き孔２３２１は同軸状に設計され、一方でねじ付き締結具２３２２はねじ無し孔２３２３とねじ付き孔２３２１とを接続するために提供され、ねじ付き締結具２３２２はねじ付き孔２３２１内のねじ山と係合してこれらを締結する。このような方法で、ねじ付き孔２３２１とねじ付き締結具２３２２が係合することによって、締付部材２０の間隙２３１の寸法を調節でき、結果的に締付部材２０が円筒形端部３１に加える型締力を調節できる。
【００２７】
更に、本発明による別の実施形態において、図７に示す通り、締付部材２０はまた、第１の円弧体２１１及び第２の円弧体２１２、並びに２つの調節手段２３２を備え得る。締付部材２０において、調節手段２３２のそれぞれは、締付部材２０が円筒形端部３１に対して締付けられるように、第１の円弧体２１１の一方の端部と第２の円弧体２１２の一方の端部を接続するように適合される。同様に、この実施形態において、調節手段２３２はそれぞれ、ねじ付き孔２３２１、ねじ無し孔２３２３、及びねじ付き締結具２３２２を備える。この実施形態において、ねじ付き孔２３２１は、第１の円弧体２１１及び第２の円弧体２１２両方の一方の端部を通じて延び、ねじ無し孔２３２３は、第１の円弧体２１１及び第２の円弧体２１２両方の別の端部を通じて延び、ねじ無し孔２３２３及びねじ付き孔２３２１は同軸状に設計され、一方でねじ付き締結具２３２２は、第１の円弧体２１１及び第２の円弧体２１２の対応する端部が接続されるように、ねじ無し孔２３２３とねじ付き孔２３２１とを接続するために設けられる。したがって、ねじ付き孔２３２１、ねじ無し孔２３２３及びねじ付き締結具２３２２が係合することによって、締付部材２０の間隙２３１の寸法を調節でき、結果的に締付部材２０が円筒形端部３１に加える型締力を調節できる。
【００２８】
好適には、間隙２３１を通じて延びるねじ付き孔２３２１を、締付部材２０の間隙２３１にある締付部材２０の２つの端部に半径方向に同軸状に設け、その結果ねじ付き孔及び段付き筒孔をそれぞれ２つの端部に形成し、その間隙２３１からより離れた段付き筒孔の直径は比較的大きい。
【００２９】
更に、本発明によると、締付部材２０は、円筒形端部３１にかかる型締力を発生させつつ、それ自体の応力を調節する応力調節機構を更に備える。特に、本発明による１つの実施形態において、図５に示す通り、それ自体の応力を調節する締付部材２０の応力調節機構は、１つ以上の張力ノッチ２３３を備える。１つ以上の張力ノッチ２３３は締付部材２０上に形成され、締付部材２０を電気デバイス３０の円筒形端部３１に対して締付ける際、締付部材２０の張力を解除するように適合される。好適には、１つ以上の張力ノッチ２３３は締付部材２０の軸方向に沿って設けられ、締付部材２０の内部環状面に対して、締付部材２０の半径方向のみに開いているが、外部表面に対しては開いていない。好適には、１つ以上の張力ノッチ２３３は、間隙２３１を除く締付部材２０の環状体２１上に、均等に設けられる。
【００３０】
本発明が提供する締付部材２０は、好適にはある程度の柔軟性を有する材料から作られるということに留意されたい。
【００３１】
更に、本発明が提供するコロナフリーキャップアセンブリにおいて、接続コンポーネント１１は複数の第１の接続孔５１を更に備え、一方で締付部材２０は複数の第２の接続孔５２を備える。接続コンポーネント１１上に形成した複数の第１の接続孔５１を、締付部材２０上に形成した複数の第２の接続孔５２とそれぞれ一直線に並べる。更に、複数の締結具５０が提供される。複数の締結具５０は、第１の接続孔５１及び第２の接続孔５２をそれぞれ合わせて締結し、その結果締付部材２０とコロナフリーキャップ１０との間の接続を実現するために設けられる。
【００３２】
例示的に、上述のコロナフリーキャップアセンブリにおいて、電気デバイス３０は、絶縁体で部分的に覆われた電気ケーブルを含み得、一方で円筒形端部３１は、絶縁体の電機子ヘッドであり、その電機子ヘッドは電気ケーブルと外部電気デバイスを電気接続するように適合される。
【００３３】
本発明の別の態様によると、本発明は結果的にケーブル端子アセンブリを提供する。ケーブル端子アセンブリは、電気ケーブルと、絶縁体３０が電気ケーブルの少なくとも一部を被膜するように適合される、円筒形端部３１を有する絶縁体３０と、コロナフリーキャップアセンブリが絶縁体３０上に取り外し可能に固定され、絶縁体３０周囲の均一な電気応力分布を実現するように適合される、前述のコロナフリーキャップアセンブリと、を備える。
【００３４】
本発明が提供するコロナフリーキャップアセンブリの実用的応用の例示の実施例を以下に提供する。
【００３５】
コロナフリーキャップ１０及び締付部材２０の設計：
本発明による１つの実施形態において、図１〜４に示す通り、コロナフリーキャップ１０は円筒形構造体であり、開放端部１４、１６は円筒形コロナフリーキャップ１０の２つの端部上にそれぞれ形成される。開放端部の内径は、円筒形コロナフリーキャップ１０の最大外径より小さい。円筒形コロナフリーキャップ１０の両端部は、円筒形コロナフリーキャップ１０の最大外径と最小内径との間を滑らかな円弧状に遷移するように付形される。円筒形コロナフリーキャップ１０の両端部の最小内径に対応する水平面は、円筒形コロナフリーキャップ１０の両端部の円弧遷移の最高水平面より低い。更に、コロナフリーキャップ１０の接続インターフェース（即ち、接続コンポーネント）１１をコロナフリーキャップ１０に組み込み、貫通開口部１１０を接続インターフェース（接続コンポーネント）１１の中心に提供し、貫通開口部１１０の内径は、エポキシ絶縁体（即ち、電気デバイス）３０上の導電パネル（即ち、円筒形端部）３１の外径より大きい。接続インターフェース（即ち、接続コンポーネント）１１の貫通開口部１１０の内径は、エポキシ絶縁体（即ち、電気デバイス）３０上の導電パネル（即ち、円筒形端部）３１の最大外径より大きい。
【００３６】
図１及び５〜６に示す通り、締付部材２０は環状構造体であり、締付部材２０はエポキシ絶縁体（即ち、電気デバイス）３０上の導電パネル（即ち、円筒形端部）３１に対して締付けるように適合され、円筒形コロナフリーキャップ１０を固定し、コロナフリーキャップ１０とエポキシ絶縁体３０の導電パネル３１との間の電気伝導を実現する。
【００３７】
間隙２３１を環状締付部材２０上に形成し、完全に貫通した張力ノッチ２３３を、軸方向に沿って、締付部材２０の直径に沿った間隙２３１と反対側の位置に形成する。張力ノッチ２３３は、環状締付部材２０が半径方向にある程度の柔軟性及び圧縮性を有するように、即ち、環状締付部材２０の直径が可変となるように設けられ、それにより、外径の必要条件を満たすあらゆる導電パネル３１上に環状締付部材２０を完全に固定することができる。環状締付部材２０の内側貫通開口部２２の最大直径は、導電パネル３１の最大外径より大きくなければならない。ねじ付き孔２３２１を環状締付部材２０の間隙２３１の両側に形成し、あるいは、ねじ付き孔を片側に形成し、ねじ無し孔をもう一方の側に形成して、間隙２３１における締付部材２０の接続を実現し、かつ、ねじ付き孔２３２１とねじ付き締結具２３２２との間の係合を調節することによって、締付部材２０と導電パネル３１との間の締付接続を実現する。
【００３８】
上記のことから、本発明は、変圧器ケーブル端子のための新規なコロナフリーキャップアセンブリを提供することがわかる。コロナフリーキャップアセンブリは主に、接続コンポーネント（接続インターフェース）を有するコロナフリーキャップ及び締付部材を備える。特に、全く新しい接続方法、即ち、締付部材を初めに電気デバイス（例えば、絶縁体）の円筒形端部（例えば、導電パネル）周辺部に固定し、次に、コロナフリーキャップが締付部材上に固定されるように、接続コンポーネント（接続インターフェース）及び締付部材を締結機構で締結することが、コロナフリーキャップアセンブリに採用される。電気デバイス（例えば、絶縁体）の円筒形端部（例えば、導電パネル）上のボルト孔は、端部を接続するために使用される。したがって、本発明が提供するコロナフリーキャップアセンブリは、独立した締付部材を使用することで、コロナフリーキャップを電気デバイス（例えば、絶縁体）の円筒形端部（例えば、導電パネル）周辺部に固定することを可能にする。このような方法で、コロナフリーキャップと電気デバイス（例えば、絶縁体）の円筒形端部（例えば、導電パネル）の接続を実現する際に、端子に接続するための円筒形端部（例えば、導電パネル）上のボルト孔を使用しない。したがって、端子をどのように接続しようと、コロナフリーキャップを取り外すことなく、変圧器端子製品との電気接続を容易に実現することができる。
【００３９】
幾つかの例示的実施形態を以上に示し、説明してきたに過ぎないが、当業者は、本発明のこれらの例示的実施形態に対するあらゆる変更及び改良が、本発明の趣旨及び範囲から逸脱することなく、本発明の範囲内にあることを理解するであろう。本発明の請求項の保護範囲は、本出願の特許請求の範囲及びそれらの等価物によって規定されるべきである。
【図１】
2015523047.tif 000003
【図２】
2015523047.tif 000004
【図３】
2015523047.tif 000005
【図４】
2015523047.tif 000006
【図５】
2015523047.tif 000007
【図６】
2015523047.tif 000008
【図７】
2015523047.tif 000009
【国際調査報告】
2015523047.tif 000010
2015523047.tif 000011